(57)【特許請求の範囲】
【請求項１】
上部が開口する箱型容器体と、この容器体の上部開口部を開閉自在に閉塞する蓋体とから成り、前記容器体の対向壁部の外面に蓋止具が設けられていると共に、この蓋止具が係脱自在に係止可能な蓋止用係合部が前記蓋体の対向両側部に突設されていて、この蓋止具により容器体の上部開口部を閉塞した蓋体を開放不能状態に保持し得るように構成されている収納容器に用いる収納容器用段積み連結具であって、前記容器体の対向壁部の外面下部に着脱自在に取付可能な連結具本体に、この連結具本体を取付けた容器体を上下に段積みした際、下段の容器体の前記蓋止具が係脱自在に係止可能な段積み用係合部が設けられており、この連結具本体は、前記容器体の対向壁部の外面に突設されている一対のリブ間の間隔に合致する幅を有する形状に形成されていて、この連結具本体の幅方向の両端部が前記一対のリブの夫々に着脱自在に係止することにより、連結具本体が前記容器体の対向壁部の外面下部に取付可能に構成されていることを特徴とする収納容器用段積み連結具。
【請求項２】
前記連結具本体は、前記容器体の対向壁部の外面下部に沿設状態に取付可能な取付面を有する形状に形成されていると共に、この取付面の反対側に前記段積み用係合部が突設されており、この段積み用係合部は、前記連結具本体を取付けた前記容器体を上下に段積みした際、下段の容器体の前記蓋止具が係脱自在に圧接係止可能な形状に形成されていることを特徴とする請求項１記載の収納容器用段積み連結具。
【請求項３】
前記連結具本体に、前記容器体の対向壁部のリブに設けられた係合凹部に係脱自在に係止可能な係止凸部が設けられているか、若しくは前記容器体の対向壁部のリブに設けられた係止凸部が係脱自在に係止可能な係合凹部が設けられていて、この係止凸部を係合凹部に係止することにより連結具本体を容器体の対向壁部の外面下部に取付可能に構成されていることを特徴とする請求項１，２のいずれか１項に記載の収納容器用段積み連結具。
【請求項４】
上部が開口する箱型容器体と、この容器体の上部開口部を開閉自在に閉塞する蓋体とから成り、前記容器体の対向壁部の外面に一対のリブが突設され、この対向壁部の外面に蓋止具が設けられていると共に、この蓋止具が係脱自在に係止可能な蓋止用係合部が前記蓋体の対向両側部に突設されていて、この蓋止具により容器体の上部開口部を閉塞した蓋体を開放不能状態に保持し得るように構成されている収納容器に、前記請求項１〜３のいずれか１項に記載の収納容器用段積み連結具を備えたことを特徴とする段積み連結具付収納容器。
【発明の詳細な説明】
【技術分野】
【０００１】
本発明は、収納容器を複数段積み状態で連結するための収納容器用段積み連結具並びにこの収納容器用段積み連結具を備えた段積み連結具付収納容器に関するものである。
【背景技術】
【０００２】
従来から、上部が開口する箱形の容器体と、この容器体の上部開口部を閉塞する蓋体とから成る合成樹脂製の収納容器が実施されている。
【０００３】
このような収納容器には、上下多段に段積みして使用できるものも提案されているが、段積み状態の収納容器に例えば人がぶつかったり地震の揺れなどの外力が加わったりすると、上段の収納容器が下段の収納容器上から落下してしまうことがあった。
【０００４】
そこで、このような不都合を防止するため、意匠登録第１４６５０４６号（特許文献１）のように、上下に段積みした容器体同士を外れ止め状態に連結可能な機能を具備する収納容器も提案されている。
【０００５】
この特許文献１を簡単に説明すると、容器体の対向壁部の夫々の外壁面に蓋止バックルが起伏回動自在に設けられると共に、この蓋止バックルが起動回動することで係脱自在に係止可能な蓋止用係合部が蓋体の対向両側部に突設されて、この蓋止バックルにより容器体の上部開口部を閉塞した蓋体が開放不能状態に保持されるように構成され、更に、容器体の対向壁部の外面下部に、少なくとも下段に配する容器体から蓋体を取り外して容器体を上下に段積みした際、下段に配した容器体の前記蓋止バックルが係脱自在に係止可能な係合リブ部が一体成形されていて、上段に配した容器体のこの係合リブ部に下段の容器体の蓋止バックルを係止することにより、段積みした容器体同士を連結できるように構成されている。
【先行技術文献】
【特許文献】
【０００６】
【特許文献１】意匠登録第１４６５０４６号公報
【発明の概要】
【発明が解決しようとする課題】
【０００７】
上記特許文献１のような、段積み連結用の係合リブ部が容器体に形成されるものの製造には、新規に設計製作した専用成形金型が必要となるため、製造コスト高となってしまう問題があった。
【０００８】
本発明は、このような問題点に鑑み、容器体に着脱自在に取付可能な段積み連結用の連結具を用いる構成とすることにより、既存の成形金型を用いてあるいは既存の成形金型に小変更を施すだけで製造できる安価な収納容器を用いることが可能となると共に、段積みしない時には邪魔にならないように取り外しておくことができる実用性に優れた収納容器用段積み連結具並びにこの収納容器用段積み連結具を備えた段積み連結具付収納容器を提供するものである。
【課題を解決するための手段】
【０００９】
添付図面を参照して本発明の要旨を説明する。
【００１０】
上部が開口する箱型容器体１と、この容器体１の上部開口部２を開閉自在に閉塞する蓋体３とから成り、前記容器体１の対向壁部４の外面に蓋止具５が設けられていると共に、この蓋止具５が係脱自在に係止可能な蓋止用係合部６が前記蓋体３の対向両側部に突設されていて、この蓋止具５により容器体１の上部開口部２を閉塞した蓋体３を開放不能状態に保持し得るように構成されている収納容器Ａに用いる収納容器用段積み連結具であって、前記容器体１の対向壁部４の外面下部に着脱自在に取付可能な連結具本体７に、この連結具本体７を取付けた容器体１を上下に段積みした際、下段の容器体１の前記蓋止具５が係脱自在に係止可能な段積み用係合部８が設けられており、この連結具本体７は、前記容器体１の対向壁部４の外面に突設されている一対のリブ23間の間隔に合致する幅を有する形状に形成されていて、この連結具本体７の幅方向の両端部が前記一対のリブ23の夫々に着脱自在に係止することにより、連結具本体７が前記容器体１の対向壁部４の外面下部に取付可能に構成されていることを特徴とする収納容器用段積み連結具に係るものである。
【００１１】
また、前記連結具本体７は、前記容器体１の対向壁部４の外面下部に沿設状態に取付可能な取付面９を有する形状に形成されていると共に、この取付面９の反対側に前記段積み用係合部８が突設されており、この段積み用係合部８は、前記連結具本体７を取付けた前記容器体１を上下に段積みした際、下段の容器体１の前記蓋止具５が係脱自在に圧接係止可能な形状に形成されていることを特徴とする請求項１記載の収納容器用段積み連結具に係るものである。
【００１２】
また、前記連結具本体７に、前記容器体１の対向壁部４のリブ23に設けられた係合凹部10に係脱自在に係止可能な係止凸部11が設けられているか、若しくは前記容器体１の対向壁部４のリブ23に設けられた係止凸部11が係脱自在に係止可能な係合凹部10が設けられていて、この係止凸部11を係合凹部10に係止することにより連結具本体７を容器体１の対向壁部４の外面下部に取付可能に構成されていることを特徴とする請求項１，２のいずれか１項に記載の収納容器用段積み連結具に係るものである。
【００１３】
また、上部が開口する箱型容器体１と、この容器体１の上部開口部２を開閉自在に閉塞する蓋体３とから成り、前記容器体１の対向壁部４の外面に一対のリブ23が突設され、この対向壁部４の外面に蓋止具５が設けられていると共に、この蓋止具５が係脱自在に係止可能な蓋止用係合部６が前記蓋体３の対向両側部に突設されていて、この蓋止具５により容器体１の上部開口部２を閉塞した蓋体３を開放不能状態に保持し得るように構成されている収納容器Ａに、前記請求項１〜３のいずれか１項に記載の収納容器用段積み連結具を備えたことを特徴とする段積み連結具付収納容器に係るものである。
【発明の効果】
【００１４】
本発明は上述のように構成したから、容器体の対向壁部の外面下部に連結具本体を取付けることにより、上記従来例（特許文献１）と同様に上下に段積みした容器体同士を蓋止具を利用して外れ止め状態に連結でき、また、段積みしない場合は連結具本体を邪魔にならないように取外しでき、しかも本発明は、収納容器の容器体に取付け可能な構成としたことにより、収納容器は既存の成形金型を変更せずに製造したものや、既存の成形金型に小変更を施すことによって製造したもので良く、安価な収納容器を用いることが可能となるなど、極めて実用性に優れた収納容器用段積み連結具となる。
【００１５】
また、請求項２記載の発明においては、容器体の対向壁部の外面下部に取付可能で且つ容器体を上下に段積みした際に下段の容器体の蓋止具が係脱自在に圧接係止可能な段積み用係合部を有する連結具本体を簡易構成にして容易に設計実現可能となる一層実用性に優れた構成の収納容器用段積み連結具となる。
【００１６】
また、請求項３記載の発明においては、容器体の対向壁部の外面下部に対して確実に取付可能な連結具本体を簡易構成にして容易に設計実現可能となる一層実用性に優れた構成の収納容器用段積み連結具となる。
【００１７】
また、請求項４記載の発明においては、前記作用・効果を発揮する収納容器用段積み連結具を備えた極めて実用性に優れた段積み連結具付収納容器となる。
【図面の簡単な説明】
【００１８】
【図１】本実施例の収納容器（の容器体）に収納容器用段積み連結具を取付けた状態を示す斜視図である。
【図２】本実施例の収納容器用段積み連結具を示す斜視図である。
【図３】本実施例の収納容器用段積み連結具の、収納容器対向壁部への取付構造を示す説明部分拡大斜視図である。
【図４】本実施例の容器体を上下に段積みしようとする状態を示す斜視図である。
【図５】本実施例の容器体を上下に段積みした状態を示す斜視図である。
【図６】図５の説明部分拡大正断面図である。
【発明を実施するための形態】
【００１９】
好適と考える本発明の実施形態を、図面に基づいて本発明の作用を示して簡単に説明する。
【００２０】
箱型容器体１の上部開口部２を蓋体３で閉塞し、容器体１の対向壁部４の外面に設けた蓋止具５を蓋体３の対向両側部に突設した蓋止用係合部６に係脱自在に係止すると、容器体１の上部開口部２を閉塞した蓋体３が開放不能状態に保持され、蓋止具５を蓋止用係合部６から係脱（係止解除）すると、蓋体３を開放可能となる。
【００２１】
容器体１を上下に段積みする場合は、少なくとも積み上げする容器体１には、その対向壁部４の外面下部に本発明の収納容器用段積み連結具（連結具本体７）を取付け、この連結具が取付けられた容器体１を（蓋体３を取り外した）他の容器体１上に段積みすると、上段の容器体１に取付けられている前記連結具本体７の段積み用係合部８に、下段の容器体１の前記蓋止具５を係脱自在に係止可能となる。
【００２２】
そして、下段の容器体１の蓋止具５を、上段の容器体１の段積み用係合部８（連結具本体７）に係止すると、上下の容器体１が段積み状態で連結されることになる。
【００２３】
また、容器体１を段積みしない時（連結具本体７が不要な時）は、容器体１から連結具本体７を邪魔にならないように取外しておくことができる。
【００２４】
また、容器体１の対向壁部４の外面下部に取付可能な本発明の収納容器用段積み連結具を用いるため、収納容器Ａは、その容器体１に蓋止具５を係止可能な段積み連結用のリブなどが不要であり、それ故、収納容器Ａは、既存の成形金型を変更せずに製造したものや、既存の成形金型に小変更を施すことによって製造したもので良く、安価な収納容器Ａを用いることができる。
【実施例】
【００２５】
本発明の具体的な実施例について図面に基づいて説明する。
【００２６】
本実施例の収納容器Ａは、上部が開口し平面視で長方形箱型の容器体１と、この容器体１の上部開口部２を閉塞する、平面視で長方形板状の蓋体３とから成り、この容器体１に、容器体１の上部開口部２を閉塞した前記蓋体３を開放不能状態に保持する蓋止具５を設けている。
【００２７】
本実施例の容器体１は、合成樹脂で一体成形したものであり、図４，図６に示すように、底壁６の前後左右四方からこの底壁６を囲う周壁14が立設して上部が開口する箱型に形成している。
【００２８】
また、この容器体１は、この上部開口部２の開口面積よりも底壁13の面積を若干小さくし、更に上部開口部２の周縁には、水平外側に向けて折曲され四隅を除きその折曲先端が下側に向けて折曲された形状の開口フランジ15を一体成形すると共に、周壁14の下部四隅に前記開口フランジ15に載置可能な載置用フランジ16が水平外側に向けて一体成形により突設されている。
【００２９】
即ち、本実施例の容器体１は、容器体１の開口フランジ15に、他の容器体１の載置用フランジ16を載置することにより、複数の容器体１を上下多段に段積みできる（所謂スタッキングの状態にできる）構成としている。
【００３０】
また、上部開口部２の短手方向の対向周縁に存する前記開口フランジ14は、他の部位より外方へやや延長突出する形状に形成して、この各延長フランジ部分を持手部17としている。
【００３１】
本実施例の蓋体３は、容器体１と同様に合成樹脂で一体成形したものであり、図１，図６に示すように、長方形状の天壁18の周縁に、水平外側に向けて折曲されその折曲先端が下側に向けて折曲された形状の外囲フランジ19を一体成形して、蓋体３が容器体１の上部開口部２を閉塞した際に、この外囲フランジ19が前記開口フランジ15を外囲しつつ開口フランジ15に載置する構成としている。
【００３２】
また、蓋体３の短手方向の対向周縁に存する外囲フランジ19は、他の部位より外方へやや延長突出する形状に形成して、この各延長フランジ部分を把手部20としている。
【００３３】
また、本実施例の蓋止具５は、前記容器体１の対向壁部４の外面に設けている。
【００３４】
具体的には、蓋止具５は、線材が略コ字状に折曲された回動フレーム21の中間部に、円筒状の操作部22が遊転自在に被嵌装着された構成としている。
【００３５】
この蓋止具５の前記容器体１への取付構造は、本実施例では、容器体１の前記周壁14のうち、短手方向に存する壁部分を前記対向壁部４とし、この各対向壁部４の外面の両側に取付用リブ23を一体成形している。そして、この各取付用リブ23間に前記蓋止具５の回動フレーム21の遊離両端を架け渡すように配してこの遊離両端を各取付用リブ23の上部寄りに回動自在に枢着した構造としている。即ち、蓋止具５は、対向壁部４に対し起伏回動自在に設けている。
【００３６】
また、この蓋止具５が係脱自在に係止可能な蓋止用係合部６を、前記蓋体３の対向両側部に突設している。
【００３７】
具体的には、前記各把手部20の上面を、前記蓋止具５の操作部22が回転しながら圧接可能な平坦面（水平面）に形成して、この平坦面を蓋止用係合部６としている。また、この蓋止用係合部６は、その外側角縁に起動途中の蓋止具５の操作部22が接触する構成とし、この接触抵抗に抗して操作部22を更に起動方向に押動することにより、操作部22が外端角縁を乗り越えて蓋止用係合部６に係止し、操作部22に伏動力を加えない限りは伏動不能状態に保持され（蓋止具５によって蓋体３が閉塞状態に保持され）、この係止状態で操作部22を伏動方向に押動することにより係脱可能な公知の蓋止具構造を採用している。
【００３８】
尚、この蓋止具５は、本実施例に限定されるものではなく、他のバックル構造などを採用しても良い。
【００３９】
本実施例は、このように構成した収納容器Ａに用いて、容器体１を複数段積み状態で連結するための収納容器用段積み連結具を備えている。
【００４０】
この収納容器用段積み連結具は、前記容器体１の対向壁部４の外面下部に着脱自在に取付可能な連結具本体７に、この連結具本体７を取付けた容器体１を上下に段積みした際、下段の容器体１の前記蓋止具５が係脱自在に係止可能な段積み用係合部８を設けている。
【００４１】
具体的には、連結具本体７は、合成樹脂で一体成形したものであり、図２，図６に示すように、前記対向壁部４の両側に設けた前記取付用リブ23間の間隔寸法に略合致する横長帯状であって、側面視で縦板部24と横板部25とが直交連設するＬ字形状に形成し、この縦板部24の横板部25が存しない側の板面を、前記容器体１の対向壁部４の取付用リブ23間の外面下部に沿設状態に取付可能な取付面９とし、この取付面９の反対側に存する横板部25の水平上面（平坦面）を前記段積み用係合部８としている。
【００４２】
また、この連結具本体７は、縦板部24と横板部25との連設部位に間隔を置いて複数の補強リブ12を一体成形して高強度化を図ると共に、中央五箇所の補強リブ12が蓋止具５（操作部22）係止時の起動方向への過回動を防止するストッパーとしても機能する構成としている。
【００４３】
また、この連結具本体７の、容器体１の対向壁部４の外面下部への取付構造は、連結具本体７の長さ方向の両端部に設けられた前記補強リブ12の外面に係止凸部11を一体成形により設ける一方、この係止凸部11が係脱自在に係止可能な係合凹部10としての貫通孔10を前記取付用リブ23の下部に切欠形成し、この取付用リブ23を撓ませつつ係止凸部11を係合凹部10に係止することにより連結具本体７を容器体１の対向壁部４の外面下部に取付可能な構造とし、この取付状態から取付用リブ23を撓ませることにより係止凸部11を係合凹部10から係脱させて連結具本体７を容器体１から取り外しできる構成としている。
【００４４】
また、この係止凸部11は、その取付面９側をテーパ面状に形成して、取付用リブ23の対向内面に対し連結具本体７を取付方向に摺動させ易い（取付けし易い）構成としている。
【００４５】
尚、この連結具本体７の取付構造は、係合凹部10を連結具本体７側に設け係止凸部11を容器体１の対向壁部４側に設ける構造としても良いし、その他の適宜な着脱自在取付構造を採用しても良く、例えば、容器体１側に加工を要しない取付構造を採用すれば、既存の収納容器Ａに対して非常に容易に連結具本体７を後付け可能（既存の収納容器Ａに段積み機能を後付け可能）な構成となる。
【００４６】
また、この連結具本体７は、容器体１の対向壁部４の外面下部に取付けた際に、前記横板部25の下面が前記載置用フランジ16の下面と略面一状態となるように、前記係合凹部10の形成位置並びに前記係止凸部11の形成位置を設定構成し、これにより容器体１を段積みした際に、横板部25の下面が載置用フランジ16と共に前記開口フランジ15に載置する構成とし、この段積み時に下段の容器体１の前記蓋止具５を起動回動させると、その操作部22が前記蓋止用係合部６への係止作用と同様の係脱自在な係止作用を発揮して、段積み用係合部８に係止可能となるように、この段積み用係合部８の厚みと突出度（横板部25の厚みと突出度）を設定構成している。
【００４７】
従って、容器体１を上下に段積みする場合は、少なくとも積み上げする容器体１には、その対向壁部４の外面下部に本実施例の収納容器用段積み連結具（連結具本体７）を取付け、この連結具が取付けられた容器体１を、蓋体３を取り外した他の容器体１上に段積みして（上段にセットして）、上段の容器体１に取付けられている連結具本体７の段積み用係合部８に、下段の容器体１の前記蓋止具５を係止すると、上下の容器体１が段積み状態で連結されることになる構成としている。
【００４８】
また、容器体１を段積みしない時（連結具本体７が不要な時）は、容器体１から連結具本体７を邪魔にならないように取外しておくことができるので、この連結具本体７が取付けられていることによって収納容器Ａの収納スペースが嵩張るような不都合を回避することができる。
【００４９】
また、容器体１の対向壁部４の外面下部に着脱自在に取付可能な本実施例の収納容器用段積み連結具は、既存の収納容器Ａの容器体１に取付可能な構成に設計することも容易に可能であり、このような構成を採用すると、段積み連結機能を既存の収納容器Ａにも容易に後付けで付与できると共に、浅型や深型などの異なるサイズの容器体１に対しても使い回しが可能となる汎用性の高い構成が実現できる。
【００５０】
尚、本発明は、本実施例に限られるものではなく、各構成要件の具体的構成は適宜設計し得るものである。
【符号の説明】
【００５１】
１  容器体
２  上部開口部
３  蓋体
４  対向壁部
５  蓋止具
６  蓋止用係合部
７  連結具本体
８  段積み用係合部
９  取付面
10  係合凹部
11  係止凸部
23 リブ
Ａ  収納容器
【図１】
0006436747.tif 000002
【図２】
0006436747.tif 000003
【図３】
0006436747.tif 000004
【図４】
0006436747.tif 000005
【図５】
0006436747.tif 000006
【図６】
0006436747.tif 000007